(57)【特許請求の範囲】
【請求項１】
任意の被写体の画像と被写体の大きさを示すスケール情報とからなる画像データに、前記被写体の属性を示す付加情報を付加してなる実写画像情報を作成する登録データ作成手段と、
仮想空間上に、前記実写画像を重畳すべき被重畳画像を作成してこの被重畳画像の大きさを示すスケール情報を保持させると共に、前記実写画像情報から前記被写体の画像及び前記被写体のスケール情報を取り出し、このスケール情報と前記被重畳画像のスケール情報とに基づいて双方の表示サイズを決定し、決定された表示サイズに従って前記被写体画像を前記被重畳画像に重畳して重畳画像を作成し、さらに前記重畳画像に前記実写画像情報を付加してなる重畳画像情報を作成する重畳画像作成手段と、
前記被写体を使用する被使用物の画像、及び前記被使用物の大きさを示すスケール情報からなるユーザ画像データを保持すると共に、前記重畳画像作成手段によって作成された重畳画像情報から前記重畳画像を取り出して画面表示し、ユーザが前記被写体を指定すると、前記重畳画像情報から前記被写体の実写画像情報を取り出し、さらに前記実写画像情報から前記被写体のスケール情報を取り出し、このスケール情報と前記被使用物のスケール情報とに基づいて双方の表示サイズを決定し、前記被写体を前記被使用物に使用した状態の画像を作成する仮想試用手段と、
を備える仮想画像空間内への実写画像取込システム。
【請求項２】
前記登録データ作成手段は、被写体の画像を、ＭＰＥＧ規格あるいはＪＰＥＧ規格に従って圧縮すると共に、ＭＰＥＧ規格あるいはＪＰＥＧ規格のデータフォーマットのユーザ定義エリアに、前記被写体のスケール情報をマッピングして、実写画像データを作成する請求項１記載の仮想空間内への実写画像取込システム。
【請求項３】
前記登録データ作成手段は、
前記被写体の画像と前記被写体の大きさを示すスケール情報とからなる画像データを記録する記録部と、
前記記録部に記録されている画像を画面表示する表示部と、
前記表示部の表示画面上において、被写体の表示領域のみを取り出す領域情報設定部と、
前記被写体の属性を示す付加情報を入力する入力部と、
前記領域情報設定部によって取り出された表示領域の画像データに、前記入力部によって入力された付加情報を付加して、実写画像情報を作成する実写画像情報作成部と、
前記実写画像情報作成部によって作成された実写画像情報を登録するデータベースと、
前記実写画像情報を、前記重畳画像作成手段へ送信する送信部と、
を備える請求項１記載の仮想空間内への実写画像取込システム。
【請求項４】
前記重畳画像作成手段は、
仮想空間上に、前記被写体を重畳すべき被重畳画像を作成し、この被重畳画像に、前記被重畳画像の大きさを示すスケール情報を保持させる画像作成部と、
前記登録データ作成手段からの実写画像情報を受信する受信部と、
前記受信部によって受信された実写画像情報から、前記被写体のスケール情報を読み出し、このスケール情報と前記被重畳画像のスケール情報とに基づいて双方の表示サイズを調整するスケール調整部と、
前記被重畳画像において、前記被写体の画像を重畳する位置を指定する位置指定部と、
前記スケール調整部により表示サイズを調整された被写体の画像を、前記位置指定部によって指定された位置に重畳して重畳画像を生成する画像重畳部と、
前記画像重畳部によって作成された重畳画像に、前記実写画像情報を付加して重畳画像情報を作成するデータ処理部と、
前記データ処理部によって作成された重畳画像情報を、前記仮想試用手段へ送信する送信部と、
を備える請求項１記載の仮想空間画像内への実写画像取込システム。
【請求項５】
前記仮想試用手段は、
前記被写体を使用する被使用物の画像と被使用物の大きさを示すスケール情報とからなるユーザ画像データを記録する記録部と、
前記重畳画像作成手段からの重畳画像情報を受信する受信部と、
前記受信部によって受信された重畳画像データから、前記重畳画像を取り出し、取り出された重畳画像を表示する表示部と、
前記表示部によって表示された重畳画像の中から、ユーザが希望する被写体の表示領域を指定する被写体指定部と、
前記重畳画像情報から、前記被写体指定部によって指定された被写体の実写画像情報を取り出し、さらに実写画像情報から前記被写体のスケール情報を取り出し、前記記録部から前記被使用物のスケール情報を読み出し、双方のスケール情報を照合して、前記被写体の画像の表示サイズと、前記被使用物の表示サイズとを対応させるスケール調整部と、
前記スケール調整部によって調整された被写体の画像と被使用物の画像とを重畳し、重畳された画像を前記表示部に表示する画像重畳部と、
を備える請求項１記載の仮想空間内への実写画像取込システム。
【請求項６】
前記登録データ作成手段と前記重畳画像作成手段とを通信回線で接続すると共に、前記重畳画像作成手段と前記仮想試用手段とを通信回線で接続してなる請求項１記載の仮想空間内への実写画像取込システム。
【請求項７】
前記重畳画像作成手段によって作成された重畳画像情報を記録媒体に書き込む書込部を設けると共に、
前記仮想試用手段には、前記記録媒体に記録された重畳画像情報を読み出す読出部を設けた請求項１記載の仮想空間への実写画像取込システム。
【請求項８】
任意の被写体の画像と被写体の大きさを示すスケール情報とからなる画像データに、前記被写体の属性を示す付加情報を付加してなる実写画像情報を作成する登録データ作成手段と、
仮想空間上に、前記実写画像を重畳すべき被重畳画像を作成してこの被重畳画像の大きさを示すスケール情報を保持させると共に、前記実写画像情報から前記被写体の画像及び前記被写体のスケール情報を取り出し、このスケール情報と前記被重畳画像のスケール情報とに基づいて双方の表示サイズを決定し、決定された表示サイズに従って前記被写体の画像を前記被重畳画像に重畳して重畳画像を作成し、さらに前記重畳画像に前記実写画像情報を付加してなる重畳画像情報を作成する重畳画像作成手段とを具備する仮想空間画像提供装置と、
前記被写体を使用する被使用物の画像、及び前記被使用物の大きさを示すスケール情報からなるユーザ画像データを保持すると共に、前記重畳画像作成手段によって作成された重畳画像情報から前記重畳画像を取り出して画面表示し、ユーザが前記被写体を指定すると、前記重畳画像情報から前記被写体の実写画像情報を取り出し、さらに前記実写画像情報から前記被写体のスケール情報を取り出し、このスケール情報と前記被使用物のスケール情報とに基づいて双方の表示サイズを決定し、前記被写体を前記被使用物に使用した状態の画像を作成する仮想試用装置とを備え、
仮想空間画像提供装置と前記仮想試用装置とを通信回線で接続した仮想画像空間内への実写画像取込システム。
【発明の詳細な説明】
【０００１】
【発明の属する技術分野】
本発明は、仮想空間上に作成された画像に実写画像を展開する、仮想空間内への実写画像取込システムに関する。
【０００２】
【従来の技術】
従来では、ＣＤ−ＲＯＭやネットワークを利用した、新しい方式のカタログショッピングや通信販売が提案されており、また、同様にユーザの分身イメージを用いた仮想都市での生活への参加等、様々な方式が提案されている。
【０００３】
しかしながら、従来のシステムでは、実写画像を適切なサイズで仮想空間内へ取り込むことは、容易に行えないという問題がある。すなわち、従来のシステムでは、実写画像の被写体の大きさと、仮想空間内で定義されている尺度との対応づけが行えず、実写画像と仮想空間とを合成した場合に、不自然な画像になるという問題がある。特に、通信販売やカタログショッピンクでは、商品の大きさが重要な要素であるため、実写画像のスケールと仮想空間のスケールとを対応づける必要がある。
【０００４】
【発明が解決しようとする課題】
そこで、本発明は、上記問題点に鑑みてなされたものであり、実写画像と被写体のスケール情報とを一括管理することができるデータ形式を提供することにより、実写画像を適切なサイズで仮想空間内に取り込むことを容易に行えるシステムを提供することを課題とする。
【０００５】
【課題を解決するための手段】
本発明は、前記課題を解決するために以下のようにした。
すなわち、本発明の仮想空間内への実写画像取込システムは、登録データ作成手段と、重畳画像作成手段と、仮想試用手段とを備えている。
【０００６】
登録データ作成手段は、任意の被写体の画像と被写体の大きさを示すスケール情報とからなる画像データに、前記被写体の属性を示す付加情報を付加してなる実写画像情報を作成する。
【０００７】
ここで、付加情報とは、例えば、被写体を商品とした場合に、その商品の、色の種類や値段等を含む情報である。
重畳画像作成手段は、仮想空間上に、前記実写画像を重畳すべき被重畳画像を作成して、被重畳画像の大きさを示すスケール情報を保持すると共に、前記実写画像情報から前記被写体の画像と前記被写体のスケール情報とを取り出し、前記被写体のスケール情報と前記被重畳画像のスケール情報とに基づいて双方の表示サイズを決定し、決定された表示サイズに従って、前記被写体の画像を前記被重畳画像に重畳して重畳画像を作成し、さらに前記重畳画像に前記実写画像を付加してなる重畳画像情報を作成する。
【０００８】
仮想試用手段は、前記被写体を使用する被使用物の画像、及び前記被使用物の大きさを示すスケール情報からなるユーザ画像データを保持すると共に、前記重畳画像作成手段によって作成された重畳画像情報から前記重畳画像を取り出して画面表示し、ユーザが前記被写体を指定すると、前記重畳画像情報から前記被写体の実写画像情報を取り出し、さらに、前記実写画像情報から前記被写体のスケール情報を取り出し、このスケール情報と前記被使用物のスケール情報とに基づいて双方の表示サイズを決定し、前記被写体を前記被使用物に使用した状態の画像を作成する。
【０００９】
ここで、登録データ作成手段は、被写体の画像を、ＭＰＥＧ規格あるいはＪＰＥＧ規格に従って圧縮すると共に、ＭＰＥＧ規格あるいはＪＰＥＧ規格のデータフォーマットのユーザ定義エリアに、前記被写体のスケール情報をマッピングして、実写画像データを作成するようにしてもよい。
【００１０】
また、登録データ作成手段は、被写体の画像と前記被写体の大きさを示すスケール情報とからなる画像データを記録する記録部と、この記録部に記録されている画像を画面表示する表示部と、この表示部の表示画面上において、被写体の表示領域のみを取り出す領域情報設定部と、前記被写体の属性を示す付加情報を入力する入力部と、前記領域情報設定部によって取り出された表示領域の画像データに、前記入力部によって入力された付加情報を付加して、実写画像情報を作成する実写画像情報作成部と、前記実写画像情報作成部によって作成された実写画像情報を登録するデータベースと、前記実写画像情報を、前記重畳画像作成手段へ送信する送信部とから構成するようにしてもよい。
【００１１】
さらに、重畳画像作成手段は、仮想空間上に、前記被写体を重畳すべき被重畳画像を作成すると共に、この被重畳画像に、前記被重畳画像の大きさを示すスケール情報を保持させる画像作成部と、登録データ作成手段からの実写画像情報を受信する受信部と、この受信部によって受信された実写画像情報から、前記被写体のスケール情報を取り出し、このスケール情報と前記被重畳画像のスケール情報とに基づいて、前記被写体及び前記被重畳画像の表示サイズを調整するスケール調整部と、被重畳画像において、前記被写体の画像を重畳する位置を指定する位置指定部と、前記スケール調整部により表示サイズを決定された被写体の画像を、前記位置指定部によって指定された位置に重畳して重畳画像を生成する画像重畳部と、この画像重畳部によって作成された重畳画像に、前記実写画像情報を付加して重畳画像情報を作成するデータ処理部と、このデータ処理部によって作成された重畳画像情報を、前記仮想試用手段へ送信する送信部とから構成するようにしてもよい。
【００１２】
また、仮想試用手段は、被写体を使用する被使用物の画像と被使用物の大きさを示すスケール情報とからなるユーザ画像データを記録する記録部と、重畳画像作成手段からの重畳画像情報を受信する受信部と、この受信部によって受信された重畳画像データから、前記重畳画像を取り出し、取り出された重畳画像を表示する表示部と、この表示部によって表示された重畳画像の中から、ユーザが希望する被写体の表示領域を指定する被写体指定部と、この被写体指定部によって指定された被写体の実写画像情報を前記重畳画像情報から取り出し、さらに実写画像情報から前記被写体のスケール情報を取り出し、前記記録部から前記被使用物のスケール情報を読み出し、双方のスケール情報を照合して、前記被写体の画像の表示サイズと、前記被使用物の表示サイズとを対応させるスケール調整部と、このスケール調整部によって調整された被写体の画像と被使用物の画像とを重畳し、重畳された画像を前記表示部に表示する画像重畳部とから構成するようにしてもよい。
【００１３】
さらに、登録データ作成手段と重畳画像作成手段とを通信回線で接続すると共に、重畳画像作成手段と仮想試用手段とを通信回線で接続し、オンラインで画像情報の授受を行うようにしてもよい。
【００１４】
また、重畳画像作成手段には、重畳画像情報を記録媒体に書き込む書込部を設けると共に、仮想試用手段には、前記記録媒体に記録された重畳画像情報を読み出す読出部を設け、オフラインで画像情報の授受を行うようにしてもよい。ここで記録媒体としては、ＣＤ−ＲＯＭや磁気ディスク等が考えられる。
【００１５】
次に、本発明の仮想空間内への実写画像取込システムを、画像提供装置と、仮想試用装置とを通信回線で接続して構成するようにしてもよい。
画像提供装置は、登録データ作成手段と、重畳画像作成手段とを具備しており、登録データ作成手段は、任意の被写体の画像と被写体の大きさを示すスケール情報とからなる画像データに、前記被写体の属性を示す付加情報を付加してなる実写画像情報を作成する。そして、重畳画像作成手段は、仮想空間上に、前記実写画像を重畳すべき被重畳画像を作成してこの被重畳画像の大きさを示すスケール情報を保持すると共に、前記実写画像情報から前記被写体の画像及びスケール情報を取り出し、取り出されたスケール情報と前記被重畳画像のスケール情報とに基づいて双方の表示サイズを決定し、決定された表示サイズに従って前記被写体の画像を前記被重畳画像に重畳して重畳画像を作成し、さらに前記重畳画像に前記実写画像情報を付加してなる重畳画像情報を作成する。
【００１６】
仮想試用装置は、被写体を使用する被使用物の画像、及び前記被使用物の大きさを示すスケール情報からなるユーザ画像データを保持すると共に、前記重畳画像作成手段によって作成された重畳画像情報から前記重畳画像を取り出して画面表示し、ユーザが前記被写体を指定すると、前記重畳画像情報から前記被写体の実写画像情報を取り出し、さらに前記実写画像情報から前記被写体のスケール情報を取り出し、このスケール情報と前記被使用物のスケール情報とに基づいて双方の表示サイズを決定し、前記被写体を前記被使用物に使用した状態の画像を作成する。
【００１７】
尚、画像提供装置と仮想試用装置とを通信回線で接続せずに、双方の間の画像情報の授受を記録媒体を介して行うようにしてもよい。
【００１８】
【発明の実施の形態】
以下、本発明の実施形態について図面に沿って説明する。
本実施形態では、仮想空間上に種々の商品を販売する商品モールを作成し、この仮想空間画像を消費者に提供し、消費者が実際の店舗へ赴くことなく商品を購入することができるという新しい商品流通方式を取り上げ、この方式に本発明のシステムを適用した場合について説明する。
【００１９】
尚、商品流通方式では、商品の販売元である商品販売者と、商品を実際に展示・販売する商店と、商店から商品を購入する購入者とを想定している。この形態を図１に示す。
【００２０】
同図に示すように、商品販売者は、商品の画像データにその商品の属性を示す付加情報を付加してなる商品情報を作成する登録データ作成装置１を所有し、商店は、仮想空間上に、商品を展示した商店の画像と複数の商店の集合体からなる商店モールの画像を作成する仮想商店作成装置２を所有し、さらに、購入者は、商店モール及び商店の画像を再生すると共に、ユーザが希望する商品の使用状態を仮想空間上に作成する商品仮想試用装置３を所有している。
【００２１】
そして、各装置は通信回線で接続されており、商品販売者から商店への商品情報の提供、商店から購入者への商店モール情報の提供は、通信によって行われるようになっている。但し、各装置間のデータのやりとりは、通信に限られるものではないことは当然であり、例えばＣＤ−ＲＯＭ等の記録媒体に記録して提供する方法でも構わない。
【００２２】
図２は、登録データ作成装置のハードウェア構成を示している。
同図に示すように、登録データ作成装置１は、ＣＰＵ１７とＲＯＭ１６とＶ−ＲＡＭ１８とをバスで接続して構成されている。
【００２３】
また、バスには、デジタイザ１１、キーボード１２、ＣＲＴ１３、及び商品データベース（ＤＢ）１４が入出力装置（Ｉ／Ｏ）を介して接続されている。
さらに、バスには、ドライブ装置１０ａが接続されていると共に、通信モデム１５がインタフェース（ＩＦ）を介して接続されている。
【００２４】
ドライブ装置１０ａは、本発明の記録手段としてのＩＣメモリカード１０からデータを読み出す装置である。ここで、ＩＣメモリカード１０には、商品の画像データが格納されている。この画像データは、商品を被写体として撮像した画像と、画像の有効領域を示す領域情報と、商品のスケール情報とからなるデータである。つまり、ＩＣメモリカード１０には、被写体の画像と被写体のスケール情報とを取り込める撮像装置によって入力されたデータが、画像データとして格納されている。ここで、画像データは、ＪＰＥＧ規格に従って圧縮されたデータであり、領域情報とスケール情報とは、ＪＰＥＧ規格のデータフォーマットのＡＰＰ（ユーザ定義エリア）にマッピングされるものとする（図４３参照）。
【００２５】
デジタイザ１１は、ＣＲＴ１３に表示されている画像のなかから、所定の領域の画像を切り出すための装置である。具体的には、例えば、ＩＣメモリカード１０から読み出された画像データには、商品の画像のみならず、背景の画像が含まれているため、商品の画像領域のみを取り出す必要がある。そこで、本実施形態では、ＩＣメモリカード１０から読み出された画像データから、商品の画像領域を取り出す際に、デジタイザ１１によって商品の画像領域を指定するようにしている。
【００２６】
キーボード１２は、ユーザが商品の属性を示す付加情報や、任意のコマンド等を入力するための装置である。
ＣＲＴ１３は、種々の画像を表示する装置である。
【００２７】
商品データベース（ＤＢ）１４は、ＩＣメモリカード１０から読み出された画像データに、商品の属性を示す付加情報を付加することにより作成される商品情報を登録している。具体的には、図３に示すように、商品データベース（ＤＢ）１４は、商品データベース管理情報と、複数の商品情報（商品情報１〜商品情報ｎ）とから構成されている。
【００２８】
ここで、商品データベース管理情報は、図４に示すように、商品データベース管理情報のデータサイズと、商品データベース（ＤＢ）１４に登録されている商品（商品情報）の数と、予備領域（将来拡張用領域）とから構成されている。
【００２９】
また、商品情報の付加情報は、図５に示すように、付加情報のデータサイズと、商品情報の登録年月日と、商品の色の種類と、商品のサイズの種類と、商品の値段と、撮影方向と画像データとのリンク情報と、予備領域（将来拡張用領域）とから構成されている。ここで、撮影方向と画像データとのリンク情報は、一つの商品を二方向以上の撮影方向で撮像した場合（例えば、一つの商品を、前方、右側方、左側方、後方、上方、下方等から撮影した場合）に、必要となる情報であり、各画像データとその撮影方向を示すデータとを関連付けるリンク情報である。
【００３０】
通信モデム１５は、通信回線に接続されており、作成された商品情報を、仮想商店作成装置２へ送信すると共に、仮想商店作成装置２からの発注データを受信する。
【００３１】
ＲＯＭ１６は、ＣＰＵ１７が実行すべきアプリケーションプログラムを格納している。
Ｖ−ＲＡＭ１８は、ＩＣメモリカード１０から読み出された画像を一旦格納するものである。
【００３２】
ここで、ＣＰＵ１７がＲＯＭ１６のアプリケーションプログラムを実行することにより実現される機能について、図６に沿って説明する。
同図に示すように、登録データ作成装置１は、領域情報設定部４、付加情報入力部６、商品情報作成部５、受注処理部４２を備えている。
【００３３】
領域情報設定部４は、ＩＣメモリカード１０から読み出された画像データからデジタイザ１１によって指定された領域の画像のみを切り出すものである。
付加情報入力部６は、キーボード１２を介して付加情報を入力する。
【００３４】
商品情報作成部５は、領域情報設定部４によって切り出された画像データに、付加情報入力部６によって入力された付加情報を付加して、商品情報を作成する。さらに、商品情報作成部５は、作成された商品データを商品データベース（ＤＢ）１４に登録し、商品データベース管理情報の内容を更新する。
【００３５】
受注処理部４２は、仮想商店作成装置２から商品の発注データを受信した時に、発注された商品の在庫確認、商品の発送日及び発送先住所の設定、購入者情報の登録、課金処理を行う。
【００３６】
図７は、仮想商店作成装置２のハードウェア構成を示す図である。
仮想商店作成装置２は、ＣＰＵ２６、ＲＡＭ２７、及びＲＯＭ２５をバスで接続して構成されている。また、バスには、マウス２０、キーボード２１、ＣＲＴ２２、及び商店データベース（ＤＢ）２３が入出力装置（Ｉ／Ｏ）を介して接続されている。さらに、バスには、コンピュータグラフィクス作成装置１９と通信モデム２４とがインタフェース（ＩＦ）を介して接続されている。
【００３７】
コンピュータグラフィクス作成装置１９は、商品を販売する店の画像を作成すると共に、この店の大きさを示すスケール情報を設定し、店の画像にスケール情報を保持させる。そして、コンピュータグラフィクス作成装置１９は、作成された店の集合体からなる商店モールの画像を作成する。ここで、店の画像は、ＪＰＥＧ規格に従って圧縮されたデータであり、スケール情報は、ＪＰＥＧ規格のデータフォーマットのＡＰＰ（ユーザ定義エリア）にマッピングされるものとする（図４３参照）。
【００３８】
マウス２０は、ユーザが希望する商店の何処に商品を飾るかを指定するための入力装置である。具体的には、ＣＲＴ２２に商店の画像が表示されているときに、ユーザは、商品の画像を重畳（オーバレイ）すべき領域をマウス２０でクリックする。
【００３９】
キーボード２１は、ユーザが任意のデータあるいはコマンドを入力するための装置である。
ＣＲＴ２２は、種々の画像を画面表示する。
【００４０】
商店データベース（ＤＢ）２３は、図８に示すように、商店モール管理情報と、複数の商店モール情報（商店モール情報１〜商店モール情報ｎ）とを登録している。ここで、商店モール管理情報は、図９に示すように、商店モール管理情報のデータサイズと、商店データベース（ＤＢ）２３に登録されている商店モールの数と、予備領域（将来拡張用領域）とから構成されている。
【００４１】
図８に戻って、各商店モール情報は、個別モール管理情報と、モール画像データと、商店モールを構成している各商店の商店情報（商店情報１〜商店情報ｍ）とから構成されている。ここで、個別モール管理情報は、図１０に示すように、個別モール管理情報のデータサイズと、商店モールの画像データのアドレス（データ位置情報）と、商店モールに含まれている商店の数と、商店モール内の各商店の位置と商店情報とを対応づけるリンク情報と、予備領域（将来拡張用領域）とから構成されている。
【００４２】
また、図８に戻って、各商店情報（商店情報１〜商店情報ｍ）は、商店管理情報と、商店画像データと、複数の商品情報（商品情報１〜商品情報ｋ）とから構成されている。
【００４３】
商店管理情報は、図１１に示すように、商店管理情報のデータサイズと、商店を商店モールに登録した年月日と、商店画像データのアドレス（データ位置情報）と、商店で販売している商品の数（商店の画像データにオーバレイされている商品の数）と、商店内における各商品の位置と各商品の商品情報とを対応づけるリンク情報と、予備領域（将来拡張用領域）とから構成されている。
【００４４】
図８に戻って、商店画像データは、仮想空間上で作成された商店の画像に、商品の画像を重畳（オーバレイ）した画像データである。そして、商店画像データは、前述したように、ＪＰＥＧ規格に従って圧縮され、ＪＰＥＧ規格のデータフォーマットのＡＰＰ（ユーザ定義エリア）に、商店の大きさを示すスケール情報がマッピングされている。
【００４５】
通信モデム２４は、登録データ作成装置１からの商品情報の受信、登録データ作成装置１への商品の発注データの送信、商品仮想試用装置３への商店モール情報の送信、及び商品仮想試用装置３からの商品の発注データの受信を行う。
【００４６】
ＲＯＭ２５は、ＣＰＵ２６が実行すべきアプリケーションプログラムを格納している。
ＲＡＭ２７は、商品情報を一旦格納する。
【００４７】
ここで、ＣＰＵ２６がＲＯＭ２５のアプリケーションプログラムを実行することにより実現される機能について図１２に沿って説明する。
仮想商店作成装置２は、スケール調整部７、画像重畳部８、仮想商店表示処理部９、及び受発注処理部３８を備えている。
【００４８】
スケール調整部７は、商店画像データに商品の画像データを重畳する際に、商品のスケール情報と店のスケール情報とを照合して、商店の表示サイズに対する商品の表示サイズを決定する。
【００４９】
画像重畳部８は、商店画像データに、スケール調整部７によって決定された表示サイズの商品の画像データを重畳する。ここで、商品の画像データを重畳する位置は、マウス２０によって指定された位置とする。
【００５０】
仮想商店表示処理部９は、画像重畳部８によって作成された商店画像データに、重畳された商品の商品情報と商店管理情報とを付加して商店情報を作成する。さらに、仮想商店表示処理部９は、商品の画像データを重畳された商店画像データをＣＲＴ２２に表示する。そして、仮想商店表示処理部９は、完成した商店情報を商店データベース（ＤＢ）２３の商店モール情報に登録し、商店モール管理情報の内容を更新する。また、仮想商店表示処理部９は、キーボード２１あるいはマウス２０によって商店モール情報の送信コマンドが入力されると、商店データベース（ＤＢ）２３から、ユーザが希望する商店モールの商店モール情報を読み出し、読み出された商店モール情報を通信モデム２４から商品仮想試用装置３へ送信する。
【００５１】
受発注処理部３８は、商品仮想試用装置３から、商品の発注データを受信すると、その商品の販売元へ発注データを送信する。
図１３は、商品仮想試用装置３のハードウェア構成を示す図である。
【００５２】
商品仮想試用装置３は、ＣＰＵ３５、ＲＡＭ３６、ＲＯＭ３７、及びドライブ装置２８ａをバスで接続して構成されている。また、バスには、マウス２９、キーボード３０、ＣＲＴ３１、ハードディスク（ＨＤＤ）３２が入出力装置（Ｉ／Ｏ）を介して接続されている。さらに、バスには、通信モデム３３がインタフェース（ＩＦ）を介して接続されている。
【００５３】
ドライブ装置２８ａは、ＩＣメモリカード２８からデータを読み出す装置である。本実施形態では、ＩＣメモリカード２８には、図１４（ａ）に示すように、ユーザ画像管理情報と、複数のユーザ画像データ（ユーザ画像データ１〜ユーザ画像データｎ）とが格納されている。ユーザ画像管理情報は、図１４（ｂ）に示すように、ユーザ画像管理情報のデータサイズと、ユーザ画像データの数と、予備領域（将来拡張用領域）とから構成されている。ユーザ画像データは、商品を使用する場所、物、あるいは人の画像と、その場所、物、あるいは人のスケール情報とから構成されるデータである。具体的には、ユーザ画像データは、ＪＰＥＧ規格に従って圧縮されたデータであり、ＪＰＥＧ規格のデータフォーマットのＡＰＰ（ユーザ定義エリア）に、スケール情報がマッピングされているものとする（図４３参照）。
【００５４】
マウス２９は、商店の画像がＣＲＴ３１に表示されているときに、この商店の画像の中から、ユーザが希望する商品を指定するための装置である。
キーボード３０は、ユーザが種々のデータやコマンドを入力するための装置である。
【００５５】
ＣＲＴ３１は、モール画像データを画面表示する。さらに、モール画像データのなかから、ユーザが希望する商店が選択されると、選択された商店の商店画像データを画面表示する。
【００５６】
ハードディスク（ＨＤＤ）３２は、仮想商店作成装置２から受信した商店モール情報を格納する装置である。
通信モデム３３は、仮想商店作成装置２からの商店モール情報の受信、仮想商店作成装置２への商品の発注データの送信を行う。
【００５７】
ＲＯＭ３７は、ＣＰＵ３５が実行すべきアプリケーションプログラムを格納する。
ＲＡＭ３６は、仮想商店作成装置２から受信した商店モール情報を一旦格納するとともに、ＩＣメモリカード２８から読み出されたユーザ画像データを一旦格納する。
【００５８】
ここで、ＣＰＵ３５がＲＯＭ３７のアプリケーションプログラムを実行することにより、実現される機能について図１５に沿って説明する。
すなわち、商品仮想試用装置３は、仮想商店検索処理部３９、スケール調整部４０、及び画像重畳部４１を備えている。
【００５９】
仮想商店検索処理部３９は、仮想商店作成装置２から受信した商店モール情報の中から、モール画像データを取り出し、ＣＲＴ３１に表示する。ここで、表示されているモール画像データのなかから、ユーザが希望する商店が選択されると、商店モール情報のなかから、選択された商店の商店画像データを取り出し、ＣＲＴ３１に表示する。さらに、表示されている商店画像データのなかから、ユーザが希望する商品が選択されると、商店モール情報のなかから選択された商品の商品情報を読み出し、ＣＲＴ３１に表示する。このとき、ＣＲＴ３１には、商品の画像データと、付加情報とが同時に表示される。
【００６０】
スケール調整部４０は、仮想商店検索処理部３９によって選択された商品情報から、商品のスケール情報を読み出す。さらに、スケール調整部４０は、ＩＣメモリカード２８から、前記商品を使用する場所、物、あるいは人のユーザ画像データを読み出すとともに、このユーザ画像データから前記場所、物、あるいは人のスケール情報を読み出す。そして、スケール調整部４０は、商品のスケール情報と、前記場所、物、あるいは人のスケール情報とに基づいて、双方の表示サイズを調整する。
【００６１】
画像重畳部４１は、スケール調整部４０によって調整された商品の画像と、場所、物、あるいは人の画像とを重畳（オーバレイ）して、商品を試用（あるいは試着）した状態の画像を作成する。
【００６２】
以下、本実施形態の作用・効果について述べる。
先ず、商品情報の作成手順について、図１６〜図２２に沿って説明する。
ユーザは、登録データ作成装置１のキーボード１２により、商品情報の作成コマンドを入力する。コマンドが入力された登録データ作成装置１は、ＣＲＴ１３に、図１６に示す画面を表示する。この画面には、“ファイル”、“対象領域”、“付加情報”の３つのメニューバーが表示されている。
【００６３】
先ず、ユーザは、ドライブ装置１０ａにＩＣメモリカード１０をセットし、メニューバー“ファイル”を選択する。このとき、登録データ作成装置１は、メニューバー“ファイル”のプルダウンメニューをＣＲＴ１３に表示する（図１７参照）。
【００６４】
ユーザは、プルダウンメニューの中から、“画像読み込み”を選択する。このとき、登録データ作成装置１は、ＩＣメモリカード１０に登録されている商品の画像データのリストを画面表示する。ここで、ユーザが、希望の商品の画像データを選択すると、登録データ作成装置１は、ＩＣメモリカード１０から選択された商品の画像データを読み出し、ＣＲＴ１３に表示する（図１８参照）。
【００６５】
ユーザは、ＣＲＴ１３に選択された商品の画像データが表示されると、メニューバー“対象領域”を選択し、画像の切り出しを行う。登録データ作成装置１は、“対象領域”が選択されると、メニューバー“対象領域”のプルダウンメニューを画面表示する（図１９参照）。ここで、ユーザは、プルダウンメニューのなかから、メニュー“領域指定”を選択した後、デジタイザ１１を使用して、商品の画像領域を指定し、再度メニューバー“対象領域”を選択し、プルダウンメニューのなかから“セット”を選択する（図２０参照）。このとき、登録データ作成装置１は、領域指定された領域の画像のみを、新たな画像データとして取り扱う。
【００６６】
次に、ユーザは、画像データに付加すべき付加情報の入力を行う。つまり、メニューバー“ファイル”、“対象領域”、“付加情報”のなかから、“付加情報”を選択する。このとき、登録データ作成装置１は、ＣＲＴ１３に、メニューバー“付加情報”のプルダウンメニューを表示する（図２１参照）。ここで、ユーザが図中の“情報入力”を選択すると、登録データ作成装置１は、ＣＲＴ１３に、付加情報の入力画面を表示する（図２２参照）。ユーザは、ＣＲＴ１３に表示された入力画面に従って、商品の付加情報（登録年月日、色、サイズ、価格等）を入力する。この付加情報の入力は、キーボード１２によって行う。
【００６７】
付加情報が入力されると、登録データ作成装置１は、デジタイザ１１によって指定された画像に、入力された付加情報を付加して商品情報を作成し、商品データベース（ＤＢ）１４に登録する。
【００６８】
商品情報を仮想商店作成装置２へ送信する場合には、ユーザは、商品情報の送信コマンドを入力する。
次に、商店モール情報の作成手順について、図２３〜図３０に沿って説明する。尚、商店モールの画像データと、商店モールを構成する商店の画像データ（商店の画像と商店のスケール情報とを含む）は既に作成されているものとする。
【００６９】
ユーザは、仮想商店作成装置２に商店モール情報の作成コマンドを入力する。作成コマンドが入力された仮想商店作成装置２は、図２３に示すような仮想商店作成画面を表示する。この仮想商店作成画面には、メニューバー“ファイル”、“商店指定”、“シーン”、“登録”が表示される。
【００７０】
ここで、ユーザは、メニューバー“ファイル”を選択する。メニューバー“ファイル”が選択された仮想商店作成装置２は、メニューバー“ファイル”のプルダウンメニューを画面表示する（図２４参照）。
【００７１】
ユーザがプルダウンメニューのなかから、”商品情報読み込み”を選択すると、仮想商店作成装置２は、登録データ作成装置１から受信した商品情報をＣＲＴ２２に表示する（図２５参照）。
【００７２】
次に、ユーザは、メニューバー“商店指定”を選択する。このとき、仮想商店作成装置２は、“商店指定”のプルダウンメニューとして、商店データベース（ＤＢ）２３に登録されている商店モールのリストを表示する。さらに、ユーザが、希望の商店モールを選択すると、仮想商店作成装置２は、選択された商店モールに含まれている商店の種別を画面表示する（図２６参照）。
【００７３】
商店モールが選択されると、仮想商店作成装置２は、選択された商店モールに含まれている各商店の種別をＣＲＴ２２に表示する。
ユーザが、表示されている商店のリストの中から、商品を展示すべき商店を選択すると、仮想商店作成装置２は、商店データベース（ＤＢ）２３から、選択された商店の商店情報を読み出し、商店情報から商店画像データを抽出して、ＣＲＴ２２に表示する（図２７参照）。
【００７４】
ここで、ユーザは、商店内において、商店を展示する位置を指定することになる。つまり、ユーザは、メニューバー“登録”を選択する。メニューバー“登録”が選択されると、仮想商店作成装置２は、メニューバー“登録”のプルダウンメニューをＣＲＴ２２に表示する（図２８参照）。このプルダウンメニューは、”展示位置指定”と”商店に登録”とから構成されており、ユーザは、先ず“展示位置指定”を選択する。このとき、仮想商店作成装置２は、商店画像データから商店のスケール情報を読み出すと共に、商品の画像データから商品のスケール情報を読み出し、双方のスケール情報を照合して、商店に対する商品の表示サイズを調整する。そして、表示サイズを調整された商品の画像は、商店画面上にオーバレイされる（図２９参照）。そして、ユーザは、オーバレイされた商品をマウス２０によって移動させ、希望の展示位置に配置させると、メニューバー“登録”を選択し、このメニューバー“登録”のプルダウンメニューから“商店に登録”を選択する。
【００７５】
仮想商店作成装置２は、“商店に登録“が選択されると、商店の商店情報を更新する（図３０参照）。すなわち、前記商品の画像データがオーバレイされた画像データを商店画像データとし、商店情報の最後尾に前記商品の商品情報を付加する。さらに、商店管理情報の登録商品数を一つ指定すると共に、前記商品の商品位置と商品情報とを対応づけるリンク情報を追加する。
【００７６】
続いて、商品仮想試用装置３の操作手順について、図３１〜３９に沿って説明する。
ユーザは、商品仮想試用装置３に、仮想試用コマンドを入力する。仮想試用コマンドが入力された商品仮想試用装置３は、図３１に示すような画面をＣＲＴ３１に表示する。同図に示すように、画面上には、メニューバー“ファイル”、“商店指定”、“シーン”、“商品指定”、“ユーザ画像”が表示される。
【００７７】
ここで、ユーザは、メニューバー“ファイル”を選択する。“ファイル”が選択されると、商品仮想試用装置３は、メニューバー“ファイル”のプルダウンメニューをＣＲＴ３１に表示する（図３２参照）。同図には、プルダウンメニューとして、“仮想商店アクセス”と“仮想商店通信アクセス”とが表示されているが、“仮想商店アクセス”とは、ＣＤ−ＲＯＭ等の記録媒体により商店モール情報が提供される場合であり、“仮想商店通信アクセス”とは、仮想商店作成装置２からオンラインで商店モール情報が提供される場合を想定している。例えば、ユーザが“仮想商店通信アクセス”を選択すると、商品仮想試用装置３は、通信モデム３３を起動して、仮想商店作成装置２との間に回線を設定する。そして、仮想商店作成装置２から商店モールのモール画像データが送信されてくると、このモール画像データをＣＲＴ３１に表示する（図３３参照）。
ユーザは、商店モールのモール画像データがＣＲＴ３１に表示されると、メニューバー“商店指定”を選択する。このとき、画面上には、仮想商店作成装置２の商店データベース（ＤＢ）２３に登録されている商店モールのリストがプルダウンメニューとして表示される。ユーザが希望の商店モールを選択すると、画面上には、さらに、選択された商店モールに含まれる商店のリストが表示される（図３４参照）。ここで、ユーザが、リストのなかから、希望の商店を選択すると、前述の図３０に示したような商店画像データがＣＲＴ３１に表示される。例えば、図３４に示したリスト（“電気店”、“家具店”、“画廊”、“コンピュータショップ”）の中から“家具店”が選択されたとすると、この“家具店”に対応する商店画像データがＣＲＴ３１に表示される（図３５参照）。
【００７８】
次に、ユーザが、ＣＲＴ３１に表示されている商店画像の中から、特定の商品をマウス２９で選択（シングルクリック）すると、その商品（図３５中、画面最右端に配置された縦長の箪笥）を選択したことを示す輪郭枠３６１が表示され（図３６参照）、さらにこの状態でダブルクリックするとその商品の付加情報（“登録年月日”、“カラー”、“サイズ”、“価格”等の詳細な情報）がＣＲＴ３１に表示される（図３７参照）。
【００７９】
ここで、ユーザがメニューバー“ユーザ画像”を選択すると、商品仮想試用装置３は、“ユーザ画像”のプルダウンメニューとして、ＩＣメモリカード２８に登録されているユーザ画像データのリストを表示する（図３８参照）。
【００８０】
ユーザが、表示されているリスト（“私の部屋”、“私の姿”）の中から、希望のユーザ画像を選択すると、商品仮想試用装置３は、選択された商品の画像データから商品のスケール情報を読み出すと共に、選択されたユーザ画像データから前記商品を使用する場所、物、あるいは人のスケール情報を読み出し、これらのスケール情報に基づいて、商品の表示サイズと、使用する場所、物あるいは人の表示サイズを調整した後に、商品の画像と前記場所、物、あるいは人の画像とをオーバレイして、商品を使用した状態の画像を作成する。作成された画像は、ＣＲＴ３１に表示される（図３９参照）。
【００８１】
以下、登録データ作成装置１、仮想商店作成装置２、及び商品仮想試用装置３の動作過程について、図４０〜図４２のフローチャート図に沿って説明する。
先ず、登録データ作成装置１の動作過程について、図４０に沿って説明する。
【００８２】
ユーザが商品情報の作成コマンドを入力すると、ＣＰＵ１７は、ドライブ装置１０ａを起動する。
ドライブ装置１０ａは、ＩＣメモリカード１０から商品の画像データを読み出す（Ｓ４００１）。
【００８３】
ここで、一つの商品について、様々な方向から撮像した場合には、それら全ての画像を読み出す。
そして、ＩＣメモリカード１０から読み出された画像データは、ＣＲＴ１３に表示される。このとき、ユーザは、デジタイザ１１を使用して、ＣＲＴ１３に表示されている画像のなかから必要な画像領域のみを指定する。ＣＰＵ１７は、デジタイザ１１により、画像領域の指定がなされると、指定された領域の画像のみを切り出す（Ｓ４００２）。
【００８４】
切り出された画像は、ＣＲＴ１３に表示される。
ここで、一つの商品について、様々な方向から撮像した場合には、各画像について上記の処理を行う。そして、ユーザは、キーボード１２から各画像の撮像方向（正面、背面、右側面、左側面、上面、底面）を入力する（Ｓ４００３）。続いて、ユーザは、商品の価格、商品の色等のバリエーション、納期、撮影方向（正面、右側面、左側面、背面、上面、下面等）等の付加情報をキーボード１２により入力する（Ｓ４００４）。
【００８５】
このとき、ＣＰＵ１７は、デジタイザ１１によって切り出された画像データに、キーボード１２によって入力された付加情報を付加して商品情報を生成する（Ｓ４００５）。そして、ＣＰＵ１７は、作成された、商品情報を商品データベース（ＤＢ）１４に登録し、商品データベース（ＤＢ）１４の商品データベース管理情報の内容を更新する（Ｓ４００６）。
【００８６】
この後、キーボード１２により、商品データの送信コマンドが入力されると、ＣＰＵ１７は、商品データベース（ＤＢ）１４から指定された商品の商品情報を読み出し、通信モデム１５へ転送する。通信モデム１５は、転送されてきた商品情報を仮想商店作成装置２へ送信する。
【００８７】
次に、仮想商店作成装置２の動作について図４１に沿って説明する。
予め、コンピュータグラフィクス作成装置１９は、ユーザの指示に従って、商品を展示する店の画像を作成すると共に、この画像に店の大きさを示すスケール情報を設定しておく。さらに、コンピュータグラフィクス作成装置１９は、複数の店の集合体からなる商店モールの画像を作成しておく（Ｓ４１０１）。そして、仮想商店作成装置２の通信モデム２４が、登録データ作成装置１からの商品情報を受信すると（Ｓ４１０２）、ＣＰＵ２６は、受信された商品データをＲＡＭ２７に一旦格納する。そして、ユーザが前記商品を展示する商店を指定すると、商店データベース（ＤＢ）２３から、指定された商店の商店情報を読み出し、さらに、商店情報のなかから商店画像データを抽出してＣＲＴ２２に表示する。
【００８８】
ここで、ユーザが、商品を展示すべき位置を指定すると、ＣＰＵ２６は、商品の画像データから前記商品のスケール情報を読み出すと共に、商店画像データから商店のスケール情報を読み出し、これらのスケール情報を照合して、商店に対する商品の表示サイズを決定する。そして、商品の画像は、決定された表示サイズに調整される。
【００８９】
ここで、ＣＰＵ２６は、ユーザにより指定された領域に、調整された表示サイズの商品の画像をオーバレイする（Ｓ４１０３）。
さらに、ＣＰＵ２６は、商品の画像がオーバレイされた商店画像データと、前記商品の商品情報とによって、商店情報の内容を更新し、あらたな商店情報を作成する（Ｓ４１０４）。
【００９０】
続いて、ＣＰＵ２６は、作成された商店情報により、商店データベース（ＤＢ）２３の商店モール情報を更新する（Ｓ４１０５）。
この後、ユーザがキーボード２１あるいはマウス２０から商店モール情報の送信コマンドが入力されると、ＣＰＵ２６は、商店データベース（ＤＢ）２３から指定された商店モールの商店モール情報を読み出し、通信モデム２４へ転送する。
【００９１】
通信モデム２４は、転送されてきた商店モール情報を、商品仮想試用装置３へ送信する。
以下、商品仮想試用装置３の動作について図４２に沿って説明する。
【００９２】
同図は、ＣＰＵ３５がＲＯＭ３７のアプリケーションプログラムを実行することにより実現される処理を示している。
すなわち、商店仮想試用装置３では、商品を使用する場所（部屋、庭等）、物（家具、車等）、あるいは人の画像とスケール情報とからなるユーザ画像データベースを、図示していないコンピュータグラフィクス作成装置、あるいは撮像装置によって作成／撮像しておき、この画像をＩＣメモリカード２８に記録しておく（Ｓ４２０１、Ｓ４２０２）。尚、コンピュータグラフィクス作成装置により、商品を使用する場所、物、あるいは人の画像を作成する場合には、作成された画像に、その場所、物、あるいは人の実寸情報を付加しておくものとする。また、撮像装置により、場所、物、あるいは人の画像を撮像する場合には、被写体の実寸を計測する機能を有する撮像装置を使用するものとする。そして、場所、物、あるいは人の画像は、ＩＣメモリカード２８に記録される際に、ＪＰＥＧ規格に従って圧縮されるものとする。そして、ＪＰＥＧ規格のデータフォーマットのＡＰＰには、前記場所、物、あるいは人のスケール情報がマッピングされる。
【００９３】
そして、仮想商店作成装置２からの商店モール情報を、通信モデム３３が受信すると（Ｓ４２０３）、ＣＰＵ３５は、商店モール情報からモール画像データを抽出して、ＣＲＴ３１に表示させる（Ｓ４２０４）。
【００９４】
このとき、ユーザは、ＣＲＴ３１の表示画面を参照して、商店モールのなかから、希望の商店を選択すると、ＣＰＵ３５は、商店モール情報から指定された商店の商店情報を抽出し、さらに、商店情報から商店画像データを抽出してＣＲＴ３１に表示する。ここで、ユーザは、ＣＲＴ３１に表示されている商店画像のなかに、希望の商品が見つかると、その商品の画像領域をマウス２９によって指定する。
【００９５】
マウス２９により、ユーザが購入を希望する商品の画像領域が指定されると（Ｓ４２０５）、ＣＰＵ３５は、マウス２９により指定された商品の商品データを、商店モール情報から抽出する。
【００９６】
また、ＣＰＵ３５は、ユーザが、仮想試用コマンドを入力すると、ＩＣメモリカード２８に登録されているユーザ画像データのリストを画面表示する。ここで、ユーザが、前記商品を使用すべき場所、物、あるいは人のユーザ画像データを選択すると、ＣＰＵ３５は、ドライブ装置２８ａを起動して、ＩＣメモリカード２８からユーザによって指定されたユーザ画像データを読み出す（Ｓ４２０６）。
【００９７】
そして、ＣＰＵ３５は、選択された商品の画像データから、商品のスケール情報を読み出すと共に、選択されたユーザ画像データから商品を使用する場所、物、あるいは人のスケール情報を読み出し、双方のスケール情報を照らし合わせて、商品の表示サイズと、場所、物、あるいは人の表示サイズとを決定する。さらに、ＣＰＵ３５は、商品の画像と、場所、物、あるいは人の画像とを、決定された表示サイズに変更する。表示サイズを変更された、商品の画像と、場所、物、あるいは人の画像とは、オーバレイされて、仮想試用画像が作成される（Ｓ４２０７）。。
【００９８】
作成された仮想試用画像は、ＣＲＴ３１に表示される。
このとき、ユーザは、ＣＲＴ３１に表示されている仮想試用画像を検討して、商品を購入するか否かを検討する。そして、キーボード３０、あるいはマウス２９によって、前記商品の購入要求コマンドが入力されると（Ｓ４２０８）、ＣＰＵ３５は、前記商品の品番、ユーザが希望する商品のサイズ、ユーザが希望する商品の色等からなる発注データを作成する（Ｓ４２０９）。
【００９９】
作成された発注データは、通信モデム３３によって、仮想商店作成装置２へ送信される（Ｓ４２１０）。
発注データを受信した仮想商店作成装置２は、商品の販売元を判別し、その販売元の登録データ作成装置へ発注データを送信する。
【０１００】
以上、本実施形態によれば、商品の画像とスケール情報とを一括管理することにより、商品の画像を仮想空間上に作成された商店内に容易に展示することができると共に、商店画像から商品の画像のみを取り出して、商品を使用する場所、物、あるいは人を表す仮想空間内に再合成・再配置することができる。
【０１０１】
【発明の効果】
本発明によれば、被写体の画像とスケール情報とを一括管理することにより、被写体の画像を仮想空間内へ取り込む際に、実際のスケール情報に基づいて最適な取り込みを行うことができる。例えば、商品を被写体とした場合には、商品のスケール情報と、商品を使用する場所、物、あるいは人のスケール情報とに基づいて、商品を場所、物、あるいは人に使用した状態を、仮想空間内で正確に再現することができる。
【０１０２】
また、一旦仮想空間上に取り込まれた画像を、他の仮想空間上に取り込むような場合でも、被写体のスケール情報に基づいて、正確な取り込みを行うことができる。
【図面の簡単な説明】
【図１】本発明を適用する商品流通システムの概略構成図
【図２】登録データ作成装置のハードウェア構成図
【図３】商品データベース（ＤＢ）の構成を示す図
【図４】商品データベース管理情報の構成を示す図
【図５】付加情報の構成を示す図
【図６】登録データ作成装置の機能別構成ブロック図
【図７】仮想商店作成装置のハードウェア構成図
【図８】商店データベース（ＤＢ）の構成を示す図
【図９】商店モール管理情報の構成を示す図
【図１０】個別モール管理情報の構成を示す図
【図１１】商店管理情報の構成を示す図
【図１２】仮想商店作成装置の機能別ブロック構成図
【図１３】商品仮想試用装置のハードウェア構成図
【図１４】（ａ）はＩＣメモリカード２８の構成を示す図、（ｂ）はユーザ画像管理情報の構成を示す図
【図１５】商品仮想試用装置の機能別ブロック構成図
【図１６】登録データ作成装置の表示画面（１）
【図１７】登録データ作成装置の表示画面（２）
【図１８】登録データ作成装置の表示画面（３）
【図１９】登録データ作成装置の表示画面（４）
【図２０】登録データ作成装置の表示画面（５）
【図２１】登録データ作成装置の表示画面（６）
【図２２】登録データ作成装置の表示画面（７）
【図２３】仮想商店作成装置の表示画面（１）
【図２４】仮想商店作成装置の表示画面（２）
【図２５】仮想商店作成装置の表示画面（３）
【図２６】仮想商店作成装置の表示画面（４）
【図２７】仮想商店作成装置の表示画面（５）
【図２８】仮想商店作成装置の表示画面（６）
【図２９】仮想商店作成装置の表示画面（７）
【図３０】仮想商店作成装置の表示画面（８）
【図３１】商品仮想試用装置の表示画面（１）
【図３２】商品仮想試用装置の表示画面（２）
【図３３】商品仮想試用装置の表示画面（３）
【図３４】商品仮想試用装置の表示画面（４）
【図３５】商品仮想試用装置の表示画面（５）
【図３６】商品仮想試用装置の表示画面（６）
【図３７】商品仮想試用装置の表示画面（７）
【図３８】商品仮想試用装置の表示画面（８）
【図３９】商品仮想試用装置の表示画面（９）
【図４０】登録データ作成装置の動作フローチャート図
【図４１】仮想商店作成装置の動作フローチャート図
【図４２】商品仮想試用装置の動作フローチャート図
【図４３】（ａ）はＪＰＥＧ規格のデータフォーマットを示す図、（ｂ）は各フォーマットの機能の説明図
【符号の説明】
１・・登録データ作成装置（登録データ作成手段）
２・・仮想商店作成装置（重畳画像作成手段）
３・・商品仮想試用装置（仮想試用手段）
４・・領域情報設定部
５・・商品情報作成部
６・・付加情報入力部
７・・スケール調整部
８・・画像重畳部
９・・仮想商店表示処理部
１０・・ＩＣメモリカード
１０ａ・・ドライブ装置
１１・・デジタイザ
１２・・キーボード
１３・・ＣＲＴ
１４・・商品データベース（ＤＢ）
１５・・通信モデム
１６・・ＲＯＭ
１７・・ＣＰＵ
１８・・Ｖ−ＲＡＭ
１９・・コンピュータグラフィクス作成装置
２０・・マウス
２１・・キーボード
２２・・ＣＲＴ
２３・・商店データベース（ＤＢ）
２４・・通信モデム
２５・・ＲＯＭ
２６・・ＣＰＵ
２７・・ＲＡＭ
２８・・ＩＣメモリカード
２８ａ・・ドライブ装置
２９・・マウス
３０・・キーボード
３１・・ＣＲＴ
３２・・ハードディスク（ＨＤＤ）
３３・・通信モデム
３５・・ＣＰＵ
３６・・ＲＡＭ
３７・・ＲＯＭ
３８・・受発注処理部
３９・・仮想商店検索処理部
４０・・スケール調整部
４１・・画像重畳部
４２・・受注処理部
【図１】
0003730695.tif 000002
【図２】
0003730695.tif 000003
【図３】
0003730695.tif 000004
【図４】
0003730695.tif 000005
【図５】
0003730695.tif 000006
【図６】
0003730695.tif 000007
【図７】
0003730695.tif 000008
【図８】
0003730695.tif 000009
【図９】
0003730695.tif 000010
【図１０】
0003730695.tif 000011
【図１１】
0003730695.tif 000012
【図１２】
0003730695.tif 000013
【図１３】
0003730695.tif 000014
【図１４】
0003730695.tif 000015
【図１５】
0003730695.tif 000016
【図１６】
0003730695.tif 000017
【図１７】
0003730695.tif 000018
【図１８】
0003730695.tif 000019
【図１９】
0003730695.tif 000020
【図２０】
0003730695.tif 000021
【図２１】
0003730695.tif 000022
【図２２】
0003730695.tif 000023
【図２３】
0003730695.tif 000024
【図２４】
0003730695.tif 000025
【図２５】
0003730695.tif 000026
【図２６】
0003730695.tif 000027
【図２７】
0003730695.tif 000028
【図２８】
0003730695.tif 000029
【図２９】
0003730695.tif 000030
【図３０】
0003730695.tif 000031
【図３１】
0003730695.tif 000032
【図３２】
0003730695.tif 000033
【図３３】
0003730695.tif 000034
【図３４】
0003730695.tif 000035
【図３５】
0003730695.tif 000036
【図３６】
0003730695.tif 000037
【図３７】
0003730695.tif 000038
【図３８】
0003730695.tif 000039
【図３９】
0003730695.tif 000040
【図４０】
0003730695.tif 000041
【図４１】
0003730695.tif 000042
【図４２】
0003730695.tif 000043
【図４３】
0003730695.tif 000044